(57)【要約】【課題】  リードスイッチと磁石の組合せで、被検出体の移動範囲が小さい場合にも、その検出を可能とする高精度な近接スイッチを提供すること。【解決手段】  ケース本体１１から外部に突起させた連接棒５に被検出体８を接触させ変位させることにより、連接棒５の端部にある接続点５１が移動し、その接続点５１と連動するてこ棒６は回転軸６１を中心として往復角運動を行うもので、てこ棒６の先端に取り付けられた磁石３が被検出体８の移動範囲よりも大きく移動することによって、リードスイッチ２の接点を開閉させる。【選択図】  図２
2007214073.tif 000002
【特許請求の範囲】
【請求項１】
磁石とリードスイッチを用いて被検出体の移動を検知する近接スイッチにおいて、ケースより突起した連接棒が前記被検出体との接触により変位し、前記連接棒と連動するてこ棒が往復角運動し、前記てこ棒に取り付けられた前記磁石が移動することにより、前記リードスイッチの接点が開閉することを特徴とする近接スイッチ。
【請求項２】
前記てこ棒は一端に回転中心を有し、前記連接棒と共に、てこ機構を形成し、前記てこ棒に取り付けられた磁石の移動範囲が前記被検出体の移動範囲よりも大きいことを特徴とする請求項１記載の近接スイッチ。
【請求項３】
前記てこ機構の往復角運動を繰り返し行うために、前記てこ棒には弾性を有するばねが付設されたことを特徴とする請求項１または２記載の近接スイッチ。
【発明の詳細な説明】
【技術分野】
【０００１】
本発明は物体の接近または離間などを検出する近接スイッチに関する。
【背景技術】
【０００２】
図９は、従来型の、リードスイッチと磁石を用いた基本的な近接スイッチを示す説明図である。２はリードスイッチ、４はリード線、１１はケース本体、１２はねじ穴、３１は長手方向に着磁された磁石である。その磁石３１の実線および破線で示した位置に対応する移動に対してリードスイッチの開閉動作が行われる。
【０００３】
このような近接スイッチは、ドア、蓋などの開閉を検出するものや、ガス流量などのセンサとして用いられている。すなわち、（１）ドアなどの被検出体に磁石を取り付け、あるいは、（２）ガスなどの被検出体に応じて動くダイヤフラムに磁石を連動させ、磁力によりリードスイッチを作動させて位置検出あるいは流量検出などを行うものである。後者の例には特許文献１に開示された二方弁がある。
【０００４】
従来、この種の近接スイッチは、検出条件として、被検出体あるいはそれに応じて動くダイヤフラムなどに対し、ある一定の移動動作範囲を必要とし、磁石の磁力およびリードスイッチ感度のばらつきを考慮した動作検出範囲を設定しなければならない。一般的に磁石とリードスイッチを組合せて検出する近接スイッチでは、数ｍｍ以上の移動動作範囲が必要とされる。
【０００５】
しかしながら、磁石とリードスイッチの組合せで検出可能な範囲に対して、被検出体の移動範囲が小さい場合には、リードスイッチ感度の選別などにおいて大きな制約を伴うという問題がある。
【０００６】
【特許文献１】特開２００２−２２０５８号公報
【発明の開示】
【発明が解決しようとする課題】
【０００７】
上記の状況にあって、本発明が解決しようとする課題は、リードスイッチと磁石を用い、被検出体の移動範囲が小さい場合にも、その検出を可能とする高精度な近接スイッチを提供することにある。
【課題を解決するための手段】
【０００８】
本発明の近接スイッチは、ケース内部に構成された、てこ機構により磁石の移動距離を拡大させ、被検出体の移動範囲が小さいものであっても、容易にリードスイッチでの検知を可能とする。
【０００９】
すなわち、本発明の近接スイッチは、磁石とリードスイッチを用いて被検出体の移動を検知する近接スイッチにおいて、ケースより突起した連接棒が前記被検出体との接触により変位し、前記連接棒と連動する、てこ棒が往復角運動し、前記てこ棒に取り付けられた前記磁石が移動することにより、前記リードスイッチの接点が開閉することを特徴とする。
【００１０】
前記てこ棒は一端に回転中心を有し、前記連接棒と共に、てこ機構を形成し、前記てこ棒に取り付けられた磁石の移動範囲が前記被検出体の移動範囲よりも大きいとよい。
【００１１】
前記てこ機構の往復角運動を繰り返し行うために、前記てこ棒には弾性を有するばねが付設されるとよい。
【発明の効果】
【００１２】
本発明によれば、被検出体の１ｍｍ程度の移動範囲に対しても、てこ機構により磁石の移動距離は数倍以上になり、リードスイッチ感度を考慮しても、高精度な検出が可能となる。
【発明を実施するための最良の形態】
【００１３】
以下、本発明の実施の形態について図面を参照して説明する。
【００１４】
図１は本発明の実施の形態１での近接スイッチの外観を示す正面図である。図２は図１からケース蓋１を取り外した内部構造を示した正面図である。ケース本体１１から外部に突起させた連接棒５に被検出体８を接触させることで連接棒５を移動および回転させる機構が設けられている。図３は連接棒５が移動したときの内部構造を示す正面図である。連接棒５が移動することにより接続点５１が変位し、その接続点５１で連動するてこ棒６は回転軸６１を中心として、往復角運動を行うもので、てこ棒６の先端に取り付けられ厚み方向に着磁された磁石３がリードスイッチ２より遠ざかることにより、接点が開放される。このとき被検出体８の繰り返し移動は、ばね７の弾性作用によって、磁石３の安定した繰り返し移動をもたらす。
【００１５】
図４は、被検出体の移動によるケース内部の動きを説明する正面図である。ただし、てこ棒６を平衡位置に戻すように作用するばね等の手段は図示しなかった。被検出体８が移動する前の状態を実線で示し、被検出体が下死点に到達したときを二点鎖線で示す。被検出体８の移動距離をａで表すと、連接棒５は被検出体８の動きと連動して接続点５１が距離ａ1だけ移動する。その接続点５１に連結された、てこ棒６は、回転軸６１を中心に接続点５１の部分では距離ａ1だけ移動し、さらに、てこ棒６に取り付けられた磁石３は距離Ｌだけ移動することとなり、移動範囲を数倍に拡大できる。
【００１６】
このときのリードスイッチ２の開閉動作は、図６に示すような２点動作方式の動作領域のＯＮ領域を磁石が出入りすることによって行われるが、図７に示すような３点動作方式の動作領域のＯＮ領域を磁石が出入りするように行ってもよい。なお、２点動作方式では磁石の磁化方向はリードスイッチの長手方向と垂直であるが、３点動作方式では磁石の磁化方向はリードスイッチの長手方向と平行であり、いずれも選択可能である。
【００１７】
図５は本発明の実施の形態２での近接スイッチを示す正面図であり、図７に示した３点動作方式の動作領域の中心部分（ＯＮ領域の付近）で長手方向に着磁された磁石３１を移動させ、リードスイッチ２の接点を開閉させるものである。この場合も被検出体８の移動範囲に対して磁石３１の移動範囲が拡大されているので、精密な検知が可能となる。
【００１８】
図８は本発明の実施の形態３での近接スイッチを示す正面図であり、バイアス磁石３２をリードスイッチ２の下側に並置するように内蔵することで、図１に示した実施の形態１の検知方法とは逆のＯＮ／ＯＦＦ検知を行うものである。
【図面の簡単な説明】
【００１９】
【図１】本発明の実施の形態１での近接スイッチの外観を示す正面図。
【図２】本発明の実施の形態１でのケース蓋を取り外した近接スイッチの内部構造を示す正面図。
【図３】本発明の実施の形態１での連接棒が移動したときの内部構造を示す正面図。
【図４】本発明の実施の形態１での被検出体の移動によるケース内部の動きを示す正面図。
【図５】本発明の実施の形態２での近接スイッチを示す正面図。
【図６】リードスイッチの２点動作方式の動作領域を示す図。
【図７】リードスイッチの３点動作方式の動作領域を示す図。
【図８】本発明の実施の形態３での近接スイッチを示す正面図。
【図９】従来の基本的な近接スイッチを示す正面図。
【符号の説明】
【００２０】
１    ケース蓋
２    リードスイッチ
３，３１    磁石
４    リード線
５    連接棒
６    てこ棒
７    ばね
８    被検出体
１１    ケース本体
１２    ねじ穴
３２    バイアス磁石
５１    接続点
６１    回転軸
【図１】
2007214073.tif 000003
【図２】
2007214073.tif 000004
【図３】
2007214073.tif 000005
【図４】
2007214073.tif 000006
【図５】
2007214073.tif 000007
【図６】
2007214073.tif 000008
【図７】
2007214073.tif 000009
【図８】
2007214073.tif 000010
【図９】
2007214073.tif 000011